【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】  
少なくとも発光表示のためのサステイン放電を行う電極対を有する複数の放電セルを少なくとも備えるプラズマディスプレイパネルを有し、
前記サステインパルス電圧として、少なくとも第１の波形の電圧及び第２の波形の電圧を印加し、
前記第１の波形の電圧は、主要部が第１の電圧値からなる第１の部分と（第１の部分の持続時間Ｔ１ ≧ ０）、主要部が前記第１の電圧値より大きな第２の電圧値からなる第２の部分（第２の部分の持続時間Ｔ２ > ０）とで構成され、
前記第２の波形の電圧は、主要部が第３の電圧値からなる第３の部分（第３の部分の持続時間Ｔ３ > ０）と、主要部が前記第３の電圧値より大きな第４の電圧値からなる第４の部分（第４の部分の持続時間Ｔ４ > ０）とで構成され、
前記第１の波形の電圧及び第２の波形の電圧は、下記条件（i）及び（ii）の少なくとも一方を満たすものとし、
（ｉ）前記第３の電圧値 ＞ 前記第１の電圧値、前記第３の部分の持続時間Ｔ３ ＞ 前記第１の部分の持続時間Ｔ１ の少なくとも一方の条件が満たされる、
（ii）前記第４の電圧値 ＞ 前記第２の電圧値、前記第４の部分の持続時間Ｔ４ ＞ 前記第２の部分の持続時間Ｔ２  の少なくとも一方の条件が満たされ、 
前記第１の電圧値及び第３の電圧値は、前記電極対を構成する電極それぞれに電源電圧を印加または接地することにより設定され、
前記第１の波形（Ｔ１ > ０の場合）及び前記第２の波形のサステインパルスの印加によって、前置放電とそれに引き続き本放電の発生するサステイン放電が発生されることを特徴とするプラズマディスプレイ装置。
【請求項２】
前記サステイン放電の際の、前記放電セルの中で点灯されている放電セルの数の、前記放電セルの全数に対する割合を負荷率と定義し、該負荷率の増大量を基に、前記サステインパルス電圧を、前記第１の波形から前記第２の波形に切り替える回路を備え、
前記サステイン電極対をなす電極には、互いに逆極性の電圧が印加されることを特徴とする請求項１記載のプラズマディスプレイ装置。
【請求項３】
前記電極の一方が接地されている期間も有することを特徴とする請求項２記載のプラズマディスプレイ装置。
【請求項４】
発光表示のためのサステイン放電を行う電極対を有する複数の放電セルと電力回収回路とを少なくとも備えるプラズマディスプレイパネルを有し、
前記サステインパルス電圧として、少なくとも第１の波形の電圧及び第２の波形の電圧を印加し、
前記第１の波形の電圧は、主要部が第１の電圧値からなる第１の部分（第１の部分の持続時間Ｔ１ ≧ ０）と、主要部が前記第１の電圧値より大きな第２の電圧値からなる第２の部分（第２の部分の持続時間Ｔ２ > ０）とで構成され、
前記第２の波形の電圧は、主要部が第３の電圧値からなる第３の部分（第３の部分の持続時間Ｔ３ > ０）と、主要部が前記第３の電圧値より大きな第４の電圧値からなる第４の部分（第４の部分の持続時間Ｔ４ > ０）とで構成され、
前記第１の波形の電圧及び第２の波形の電圧は、下記条件（i）及び（ii）の少なくとも一方を満たすものとし、
（ｉ）前記第３の電圧値 ＞ 前記第１の電圧値、前記第３の部分の持続時間Ｔ３ ＞ 前記第１の部分の持続時間Ｔ１  の少なくとも一方の条件が満たされる、
（ii）前記第４の電圧値 ＞ 前記第２の電圧値、前記第４の部分の持続時間 Ｔ４ ＞ 前記第２の部分の持続時間Ｔ２  の少なくとも一方の条件が満たされる、
前記第１の電圧値及び第３の電圧値は、接地または電源に接続されたインダクタンスを利用して設定され、該インダクタンスは前記電力回収回路を構成するものとは異なり、前記第１の波形（Ｔ１ > ０の場合）及び前記第２の波形のサステインパルスの印加によって、前置放電とそれに引き続き本放電の発生するサステイン放電が発生されることを特徴とするプラズマディスプレイ装置。
【請求項５】
少なくとも発光表示のためのサステイン放電を行う電極対と発光放電セルを選択するためのアドレス電極とを有する複数の放電セルを備えるプラズマディスプレイパネルを有し、 
前記サステイン放電において、前記アドレス電極には、前記サステインパルス電圧の隙間期間に立ち上がるアドレスパルス電圧が印加され、
前記サステイン放電の際の、前記放電セルの中で点灯されている放電セルの数の、前記放電セルの全数に対する割合を負荷率と定義し、該負荷率が所定値以上の場合に、前記サステインパルス電圧を大きくするか、前記アドレスパルス電圧を大きくするか、又は、前記サステインパルスの周期を長くする、の何れかを行うことを特徴とするプラズマディスプレイ装置。
【請求項６】
前記第２の波形の周期が、前記第１の波形の周期より大である請求項１から４のいずれかに記載のプラズマディスプレイ装置。
【請求項７】
前記第１の波形及び前記第２の波形は、それぞれ、前記第２の電圧値及び前記第４の電圧値より大きい後置パルス電圧を印加する期間を含む波形である請求項１から４のいずれかに記載のプラズマディスプレイ装置。
【請求項８】
前記サステイン放電の際の、前記放電セルの中で点灯されている放電セルの数の、前記放電セルの全数に対する割合を負荷率と定義し、前記負荷率を検出する回路と、該負荷率を基に、前記第１の波形或いは前記第２の波形の何れかを選択する制御回路とを備えた請求項１、３、４のいずれかに記載のプラズマディスプレイ装置。
【請求項９】
前記負荷率を検出する回路と、該負荷率を基に前記アドレスパルス電圧を制御する回路とを備えた請求項５に記載のプラズマディスプレイ装置。
【請求項１０】
前記負荷率が大きくなった場合に、前記第１の波形から前記第２の波形に切り替えることを特徴とする請求項９に記載のプラズマディスプレイ装置。
【請求項１１】
前記負荷率と、前記第１及び第２の波形のサステインパルス数と、前記放電セルの輝度をパラメータとするテーブルを備え、前記第１から第２の波形へ切り替える前記負荷率の境界において、前記第１から第２の波形の放電による発光輝度を略一致させるよう前記第１及び第２の波形のサステインパルス数を設定することを特徴とする請求項８又は１０に記載のプラズマディスプレイ装置。
【請求項１２】  
前記アドレス電圧を切り替える前記負荷率の境界において、前記アドレス電圧切り替え前後の放電による発光輝度を略一致させるよう前記アドレス電圧を設定することを特徴とする請求項９に記載のプラズマディスプレイ装置。
【請求項１３】
前記（ｉ）、（ｉｉ）の両方を満たすことを特徴とする１乃至４、６乃至８の何れかに記載のプラズマディスプレイ装置。
【手続補正２】
【補正対象書類名】明細書
【補正対象項目名】００３５
【補正方法】変更
【補正の内容】
【００３５】
（１）少なくとも発光表示のためのサステイン放電を行う電極対を有する複数の放電セルを少なくとも備えるプラズマディスプレイパネルを有し、前記サステインパルス電圧として、少なくとも第１の波形の電圧及び第２の波形の電圧を印加し、前記第１の波形の電圧は、主要部が第１の電圧値からなる第１の部分と（第１の部分の持続時間Ｔ１ ≧ ０）、主要部が前記第１の電圧値より大きな第２の電圧値からなる第２の部分（第２の部分の持続時間Ｔ２ > ０）とで構成され、前記第２の波形の電圧は、主要部が第３の電圧値からなる第３の部分（第３の部分の持続時間Ｔ３ > ０）と、主要部が前記第３の電圧値より大きな第４の電圧値からなる第４の部分（第４の部分の持続時間Ｔ４ > ０）とで構成され、前記第１の波形の電圧及び第２の波形の電圧は、下記条件（i）及び（ii）の少なくとも一方を満たすものとし、
（ｉ）前記第３の電圧値 ＞ 前記第１の電圧値、前記第３の部分の持続時間Ｔ３ ＞ 前記第１の部分の持続時間Ｔ１ の少なくとも一方の条件が満たされる、
（ii）前記第４の電圧値 ＞ 前記第２の電圧値、前記第４の部分の持続時間Ｔ４ ＞ 前記第２の部分の持続時間Ｔ２  の少なくとも一方の条件が満たされ、 
前記第１の電圧値及び第３の電圧値は、前記電極対を構成する電極それぞれに電源電圧を印加または接地することにより設定され、前記第１の波形（Ｔ１ > ０の場合）及び前記第２の波形のサステインパルスの印加によって、前置放電とそれに引き続き本放電の発生するサステイン放電が発生されることを特徴とするプラズマディスプレイ装置。
【手続補正３】
【補正対象書類名】明細書
【補正対象項目名】００３６
【補正方法】変更
【補正の内容】
【００３６】
（２）前記サステイン放電の際の、前記放電セルの中で点灯されている放電セルの数の、前記放電セルの全数に対する割合を負荷率と定義し、該負荷率の増大量を基に、前記サステインパルス電圧を、前記第１の波形から前記第２の波形に切り替える回路を備え、
前記サステイン電極対をなす電極には、互いに逆極性の電圧が印加されることを特徴とする（１）に記載のプラズマディスプレイ装置。
（３）前記電極の一方が接地されている期間も有することを特徴とする（２）に記載のプラズマディスプレイ装置。
【手続補正４】
【補正対象書類名】明細書
【補正対象項目名】００３７
【補正方法】変更
【補正の内容】
【００３７】
（４）発光表示のためのサステイン放電を行う電極対を有する複数の放電セルと電力回収回路とを少なくとも備えるプラズマディスプレイパネルを有し、前記サステインパルス電圧として、少なくとも第１の波形の電圧及び第２の波形の電圧を印加し、前記第１の波形の電圧は、主要部が第１の電圧値からなる第１の部分（第１の部分の持続時間Ｔ１ ≧ ０）と、主要部が前記第１の電圧値より大きな第２の電圧値からなる第２の部分（第２の部分の持続時間Ｔ２ > ０）とで構成され、前記第２の波形の電圧は、主要部が第３の電圧値からなる第３の部分（第３の部分の持続時間Ｔ３ > ０）と、主要部が前記第３の電圧値より大きな第４の電圧値からなる第４の部分（第４の部分の持続時間Ｔ４ > ０）とで構成され、前記第１の波形の電圧及び第２の波形の電圧は、下記条件（i）及び（ii）の少なくとも一方を満たすものとし、
（ｉ）前記第３の電圧値 ＞ 前記第１の電圧値、前記第３の部分の持続時間Ｔ３ ＞ 前記第１の部分の持続時間Ｔ１  の少なくとも一方の条件が満たされる、
（ii）前記第４の電圧値 ＞ 前記第２の電圧値、前記第４の部分の持続時間 Ｔ４ ＞ 前記第２の部分の持続時間Ｔ２  の少なくとも一方の条件が満たされる、
前記第１の電圧値及び第３の電圧値は、接地または電源に接続されたインダクタンスを利用して設定され、該インダクタンスは前記電力回収回路を構成するものとは異なり、前記第１の波形（Ｔ１ > ０の場合）及び前記第２の波形のサステインパルスの印加によって、前置放電とそれに引き続き本放電の発生するサステイン放電が発生されることを特徴とするプラズマディスプレイ装置。
【手続補正５】
【補正対象書類名】明細書
【補正対象項目名】００３８
【補正方法】変更
【補正の内容】
【００３８】
（５）少なくとも発光表示のためのサステイン放電を行う電極対と発光放電セルを選択するためのアドレス電極とを有する複数の放電セルを備えるプラズマディスプレイパネルを有し、前記サステイン放電において、前記アドレス電極には、前記サステインパルス電圧の隙間期間に立ち上がるアドレスパルス電圧が印加され、前記サステイン放電の際の、前記放電セルの中で点灯されている放電セルの数の、前記放電セルの全数に対する割合を負荷率と定義し、該負荷率が所定値以上の場合に、前記サステインパルス電圧を大きくするか、前記アドレスパルス電圧を大きくするか、又は、前記サステインパルスの周期を長くする、の何れかを行うことを特徴とするプラズマディスプレイ装置。
【手続補正６】
【補正対象書類名】明細書
【補正対象項目名】００３９
【補正方法】変更
【補正の内容】
【００３９】
（６）前記第２の波形の周期が、前記第１の波形の周期より大である（１）から（４）のいずれかに記載のプラズマディスプレイ装置。
【手続補正７】
【補正対象書類名】明細書
【補正対象項目名】００４０
【補正方法】変更
【補正の内容】
【００４０】
（７）前記第１の波形及び前記第２の波形は、それぞれ、前記第２の電圧値及び前記第４の電圧値より大きい後置パルス電圧を印加する期間を含む波形である（１）から（４）のいずれかに記載のプラズマディスプレイ装置。
【手続補正８】
【補正対象書類名】明細書
【補正対象項目名】００４１
【補正方法】変更
【補正の内容】
【００４１】
（８）前記サステイン放電の際の、前記放電セルの中で点灯されている放電セルの数の、前記放電セルの全数に対する割合を負荷率と定義し、前記負荷率を検出する回路と、該負荷率を基に、前記第１の波形或いは前記第２の波形の何れかを選択する制御回路とを備えた（１）、（３）、（４）のいずれかに記載のプラズマディスプレイ装置。
【手続補正９】
【補正対象書類名】明細書
【補正対象項目名】００４２
【補正方法】変更
【補正の内容】
【００４２】
（９）前記負荷率を検出する回路と、該負荷率を基に前記アドレスパルス電圧を制御する回路とを備えた（５）に記載のプラズマディスプレイ装置。
【手続補正１０】
【補正対象書類名】明細書
【補正対象項目名】００４３
【補正方法】変更
【補正の内容】
【００４３】
（１０）前記負荷率が大きくなった場合に、前記第１の波形から前記第２の波形に切り替えることを特徴とする（９）に記載のプラズマディスプレイ装置。
【手続補正１１】
【補正対象書類名】明細書
【補正対象項目名】００４４
【補正方法】変更
【補正の内容】
【００４４】
（１１）前記負荷率と、前記第１及び第２の波形のサステインパルス数と、前記放電セルの輝度をパラメータとするテーブルを備え、前記第１から第２の波形へ切り替える前記負荷率の境界において、前記第１から第２の波形の放電による発光輝度を略一致させるよう前記第１及び第２の波形のサステインパルス数を設定することを特徴とする（８）又は（１０）に記載のプラズマディスプレイ装置。
【手続補正１２】
【補正対象書類名】明細書
【補正対象項目名】００４５
【補正方法】変更
【補正の内容】
【００４５】
（１２）前記アドレス電圧を切り替える前記負荷率の境界において、前記アドレス電圧切り替え前後の放電による発光輝度を略一致させるよう前記アドレス電圧を設定することを特徴とする（９）に記載のプラズマディスプレイ装置。
（１３）前記（ｉ）、（ｉｉ）の両方を満たすことを特徴とする（１）乃至（４）、（６）乃至（８）の何れかに記載のプラズマディスプレイ装置。